(57)【要約】【課題】  ミラーユニットが第１および第２の状態のいずれの状態にあるときでも測光を行うことができる撮像装置を提供する。【解決手段】  撮像素子１０６と、被写体像の観察を可能とするファインダ光学系と、撮影レンズ１０３からの光束をファインダ光学系に向けて反射する第１の状態と光束を撮像素子に到達させる第２の状態とに切り換え駆動されるミラーユニットと、ミラーユニットからの反射光束を用いて測光を行うための測光手段１４４と、ミラーユニットが第１の状態にあるときは測光手段からの出力信号を用いて測光を行い、第２の状態にあるときは撮像素子からの出力信号を用いて測光を行う制御手段１３５とを有する。【選択図】  図７
2005292525.tif 000002
【特許請求の範囲】
【請求項１】
撮影レンズからの光束により形成された被写体像を光電変換する撮像素子と、
前記光束により光学的に被写体像の観察を可能とするファインダ光学系と、
前記光束を前記ファインダ光学系に向けて反射する第１の状態と前記光束を前記撮像素子に到達させる第２の状態とに切り換え駆動されるミラーユニットと、
前記ミラーユニットからの反射光束を用いて測光を行うための測光手段と、
前記ミラーユニットが前記第１の状態にあるときは前記測光手段からの出力信号を用いて測光を行い、前記第２の状態にあるときは前記撮像素子からの出力信号を用いて測光を行う制御手段とを有することを特徴とする撮像装置。
【請求項２】
前記第１および第２の状態の切り換えを指示する操作手段を有し、
前記制御手段は、該操作手段からの信号に基づいて前記ミラーユニットを駆動するとともに、前記測光手段からの出力信号を用いて測光を行うか前記撮像素子からの出力信号を用いて測光を行うかを決定することを特徴とする請求項１に記載の撮像装置。
【請求項３】
前記ファインダ光学系の光路を開閉するファインダシャッタと、
前記ファインダシャッタを開閉駆動する駆動手段とを有し、
前記制御手段は、前記ミラーユニットを前記第２の状態に駆動するときに、前記ファインダシャッタが閉じるように前記駆動手段を駆動することを特徴とする請求項１又は２に記載の撮像装置。
【請求項４】
前記光束を用いて前記撮影レンズの焦点状態を検出する焦点検出手段を有し、
前記第１の状態は、前記光束を前記ファインダ光学系および前記焦点検出手段に向けて反射する状態であることを特徴とする請求項１から３のうちいずれか１つに記載の撮像装置。
【請求項５】
前記光束を用いて前記撮影レンズの焦点状態を検出する焦点検出手段を有し、
前記第１の状態は、前記光束を前記ファインダ光学系および前記焦点検出手段に向けて反射する状態であり、前記第２の状態は、前記光束を前記撮像素子に向けて透過させるとともに前記焦点検出手段に向けて反射する透過／反射状態もしくは前記撮影レンズから前記撮像素子への撮影光路から退避する退避状態であることを特徴とする請求項１から３のうちいずれか１つに記載の撮像装置。
【請求項６】
前記ミラーユニットは、前記光束の一部を反射し、残りを透過させる第１のミラー部材と、該第１のミラー部材を透過した光束を反射する第２のミラー部材とにより構成されており、
前記第１の状態では前記第１および第２のミラー部材が前記撮影光路内に配置され、前記透過／反射状態では前記第１のミラー部材が前記撮影光路内に配置されるとともに前記第２のミラー部材が前記撮影光路から退避し、前記退避状態では前記第１および第２のミラー部材が前記撮影光路から退避することを特徴とする請求項５に記載の撮像装置。
【請求項７】
前記撮像装置は、リモート撮影モードおよびセルフタイマ撮影モードを含む複数の撮影モードの設定が可能なモード設定手段とを有し、前記制御手段は、前記リモート撮影モードおよび前記セルフタイマ撮影モードのうち少なくとも一方が設定されることに応じて、前記ファインダシャッタを閉じることを特徴とする請求項３に記載の撮像装置。
【発明の詳細な説明】
【技術分野】
【０００１】
本発明は、撮影レンズからの光束をファインダ光学系に導く第１の状態と、前記光束を撮像素子に到達させる第２の状態との間で切り換わる撮像装置に関するものである。
【背景技術】
【０００２】
撮像装置の一つである一眼レフレックスカメラでは、光学ファインダを用いた物体像観察時には、撮影レンズから射出した光束を、撮影レンズに対して像面側に配置された反射ミラーで反射させて、ペンタプリズム等を含む光学ファインダに導いている。これにより、撮影者は、撮影レンズで形成された物体像を正像として見ることができる。このとき、反射ミラーは、撮影光路上に斜設されている。
【０００３】
一方、物体像を撮影する場合には、反射ミラーが撮影光路から待避することで撮影レンズからの光束を撮像媒体（フィルムやＣＣＤ等の撮像素子）に到達させる。そして、撮影動作が終了すると、反射ミラーは撮影光路上に斜設される。
【０００４】
ここで、一眼レフ方式のデジタルカメラには、手動で位相差検出方式による焦点調節とコントラスト検出方式による焦点調節を選択できるものがある（例えば、特許文献１参照）。また、反射ミラーが撮影光路上に斜設されているときには、位相差検出方式による焦点調節を行い、反射ミラーが撮影光路から退避しているときには、撮像素子の出力を用いてコントラスト検出方式による焦点調節を行うものがある（例えば、特許文献２参照）。該特許文献２のカメラでは、撮像素子から読み出された画像を表示ユニットで表示（電子表示）させながら、コントラスト検出方式による焦点調節を行うことができる。また、撮像素子の出力を用いて被写体輝度の測定を行うこともできる。
【０００５】
一般に、コントラスト検出方式による焦点調節においては、撮像レンズを光軸方向に僅かに移動させながら評価関数値を求めていくため、合焦状態となるまでに時間を要するという問題がある。なお、位相差検出方式による焦点調節では、検出されたデフォーカス量の分だけ撮影レンズを移動させるだけであるため、コントラスト検出方式に比べて合焦状態となるまでの時間が短くなる。
【０００６】
そこで、電子表示を用いて物体像を観察する場合でも、位相差検出方式による高速な焦点調節を行わせるために、カメラを以下に説明するような構成とすることができる。
【０００７】
カメラ内に設けられる全面ハーフミラーである主ミラーと、主ミラーからの透過光を反射させるサブミラーとを独立して動作させる構成とし、ＥＶＦ（Ｅｌｅｃｔｒｉｃ  Ｖｉｅｗ  Ｆｉｎｄｅｒ）状態およびＯＶＦ（Ｏｐｔｉｃａｌ  Ｖｉｅｗ  Ｆｉｎｄｅｒ）状態に応じて主ミラーおよびサブミラーの位置を変えるようにする。すなわち、ＯＶＦ状態では、撮影レンズからの光束を主ミラーで反射させて光学ファインダに導くとともに、主ミラーの透過光をサブミラーで反射させて焦点検出ユニットに導くようにする。また、ＥＶＦ状態では、サブミラーを撮影光路から退避させるとともに、主ミラーの位置を変えて撮影レンズからの光束を反射させて焦点検出ユニットに導くとともに、主ミラーの透過光を撮像素子に到達させるようにする。
【０００８】
上述した構成にすることで、ＯＶＦ状態およびＥＶＦ状態において、焦点検出ユニットで位相差検出方式による焦点検出を行わせることができ、高速な焦点調節を行うことが可能となる。
【０００９】
一方、一眼レフ方式のカメラにおいて、被写体輝度を測定するための測光ユニットは、通常ファインダ光学系の近傍に配置されており、ファインダ光学系内を通過する光束の一部を取り込んでいる（例えば、特許文献３参照）。これは、撮影レンズからの光束を利用したＴＴＬ（Through The Lens）方式の測光を行うためには、測光ユニットをファインダ光学系の近傍に設けるのが好ましいからである。
【特許文献１】特開２００１−２７５０３３号公報（段落番号００５３〜００５７、図５）
【特許文献２】特開２００１−１２５１７３号公報（段落番号００６２〜００６７、図８、９）
【特許文献３】特開平１０−３１２００９号公報（図１等）
【発明の開示】
【発明が解決しようとする課題】
【００１０】
しかし、上述したＯＶＦ状態およびＥＶＦ状態に応じて主ミラーおよびサブミラーの位置を変える構成のカメラでは、ＥＶＦ状態においてファインダ光学系に撮影光束が導かれないため、ファインダ光学系内に配置された測光ユニットを用いて測光を行うことができない。
【００１１】
また、カメラがＯＶＦ状態にある場合であって、撮影者が被写体となって撮影を行う場合、例えば、リモート撮影やセルフタイマ撮影を行う場合には、撮影者がファインダ光学系の接眼部を除くことはない。このため、カメラ外部の光が接眼部を介してカメラ内に入り込み、焦点検出ユニット、撮像素子又は測光ユニットに到達する恐れがある。
【００１２】
接眼部から入射した光（ファインダ逆入射光）は、撮影に用いられる光ではないため、ゴースト光となる。そして、ファインダ逆入射光が焦点検出ユニットに到達した場合には焦点検出に誤差が生じてしまい、撮像素子に到達した場合には撮像動作によって得られた画像が劣化してしまう。さらに、ファインダ逆入射光が測光ユニットに到達した場合には、測光検出に誤差が生じてしまう。
【課題を解決するための手段】
【００１３】
本発明の撮像装置は、撮影レンズからの光束により形成された被写体像を光電変換する撮像素子と、光束を用いて被写体像の観察を可能とするファインダ光学系と、光束をファインダ光学系に向けて反射する第１の状態と光束を撮像素子に到達させる第２の状態とに切り換え駆動されるミラーユニットと、ミラーユニットからの反射光束を用いて測光を行うための測光手段と、ミラーユニットが第１の状態にあるときは測光手段からの出力信号を用いて測光を行い、第２の状態にあるときは撮像素子からの出力信号を用いて測光を行う制御手段とを有することを特徴とする。
【発明の効果】
【００１４】
本発明によれば、測光手段および撮像素子の出力信号のうち測光を行うために用いる信号を、ミラーユニットの状態に応じて変更しているため、ミラーユニットが第１および第２の状態のいずれの状態にあるときでも測光を行うことができる。
【発明を実施するための最良の形態】
【００１５】
以下、本発明の実施例について説明する。
【実施例１】
【００１６】
以下、本発明の実施例１であるカメラについて、図１から図７を参照しながら説明する。
【００１７】
図６は本実施例におけるカメラシステムの構成を示す概略図である。このカメラシステムは、カメラ本体と、該カメラ本体に着脱可能に装着されるレンズ装置とを有している。
【００１８】
カメラは、ＣＣＤあるいはＣＭＯＳセンサなどの撮像素子を用いた単板式のデジタルカラーカメラであり、撮像素子を連続的または単発的に駆動して動画像または静止画像を表わす画像信号を得る。ここで、撮像素子は、露光した光を画素毎に電気信号に変換して受光量に応じた電荷を蓄積し、蓄積された電荷を読み出すタイプのエリアセンサである。
【００１９】
図６において、１０１はカメラ本体、１０２はカメラ本体１０１に対して取り外し可能なレンズ装置である。レンズ装置１０２内には、撮影光学系が設けられている。レンズ装置１０２は、公知のマウント機構を介してカメラ本体１０１に電気的、機械的に接続される。そして、焦点距離の異なるレンズ装置１０２をカメラ本体１０１に装着することによって、様々な画角の撮影画面を得ることが可能である。
【００２０】
また、レンズ装置１０２では、不図示の駆動機構を介して撮影光学系１０３の一部の要素であるフォーカシングレンズを光軸Ｌ１方向に移動させたり、フォーカシングレンズを柔軟性のある透明弾性部材や液体レンズで構成し、界面形状を変化させて屈折力を変えたりすることで、撮影光学系の焦点調節を行う。
【００２１】
１０６はパッケージ１２４に収納された撮像素子である。撮影光学系１０３から撮像素子１０６に至る光路中には、撮像素子１０６上に物体像（光学像）の必要以上に高い空間周波数成分が伝達されないように撮影光学系１０３のカットオフ周波数を制限する光学ローパスフィルタ１５６が設けられている。また、撮影光学系１０３には、不図示の赤外線カットフィルタが形成されている。
【００２２】
撮像素子１０６から読み出された信号は、後述するように所定の処理が施された後、画像データとしてディスプレイユニット１０７上に表示される。ディスプレイユニット１０７はカメラ本体１０１の背面に取り付けられており、使用者はディスプレイユニット１０７での表示を直接観察できるようになっている。
【００２３】
ディスプレイユニット１０７を、有機ＥＬ空間変調素子や液晶空間変調素子、微粒子の電気泳動を利用した空間変調素子などで構成すれば、消費電力を小さくでき、かつディスプレイユニット１０７の薄型化を図ることができる。これにより、カメラ本体１の省電力化および小型化を図ることができる。
【００２４】
撮像素子１０６は、具体的には、増幅型固体撮像素子の１つであるＣＭＯＳプロセスコンパチブルのセンサ（以降ＣＭＯＳセンサと略す）である。ＣＭＯＳセンサの特長の１つに、エリアセンサ部のＭＯＳトランジスタと撮像素子駆動回路、ＡＤ変換回路、画像処理回路といった周辺回路を同一工程で形成できるため、マスク枚数、プロセス工程がＣＣＤと比較して大幅に削減できる。また、任意の画素へのランダムアクセスが可能といった特長も有し、ディスプレイ用に間引いた読み出しが容易であって、ディスプレイユニット１０７において高い表示レートでリアルタイム表示が行える。
【００２５】
撮像素子１０６は、上述した特長を利用し、ディスプレイ画像出力動作（撮像素子１０６の受光領域のうち一部を間引いた領域での読み出し）および高精彩画像出力動作（全受光領域での読み出し）を行う。
【００２６】
１１１は可動型のハーフミラー（第１のミラー部材）であり、撮影光学系１０３からの光束のうち一部を反射させるとともに、残りを透過させる。ハーフミラー１１１の屈折率はおよそ１．５であり、厚さが０．５ｍｍである。１０５は撮影光学系１０３によって形成される物体像の予定結像面に配置されたフォーカシングスクリーン、１１２はペンタプリズムである。
【００２７】
１０９はフォーカシングスクリーン上に結像された物体像を観察するためのファインダレンズであり、実際には３つのファインダレンズ（図１の１０９−１、１０９−２、１０９−３）で構成されている。フォーカシングスクリーン１０５、ペンタプリズム１１２およびファインダレンズ１０９は、ファインダ光学系を構成する。
【００２８】
ファインダ光学系には、被写体輝度を測定するための測光センサ（測光手段）１４４と、フォーカシングスクリーン１０５に映し出された撮像画像の光束を、測光センサ１４４の受光面に結像させるための測光レンズ１４５が設けられている。
【００２９】
ハーフミラー１１１の背後（像面側）には可動型のサブミラー（第２のミラー部材）１２２が設けられ、ハーフミラー１１１を透過した光束のうち光軸Ｌ１に近い光束を反射させて焦点検出ユニット（焦点検出手段）１２１に導いている。サブミラー１２２は後述する回転軸１２５（図１等参照）を中心に回転し、ハーフミラー１１１の動きに応じてミラーボックスの下部に収納される。すなわち、サブミラー１２２は、ハーフミラーと一体となって動作せず、独立して撮影光路に対して進退可能となっている。
【００３０】
焦点検出ユニット１２１は、サブミラー１２２からの光束を受光して位相差検出方式による焦点検出を行う。
【００３１】
ハーフミラー１１１とサブミラー１２２で構成される光路分割系は、後述するように第１から第３の光路分割状態の間で切り換わることができるようになっている。第１の光路分割状態（第１の状態）では、撮影光学系１０３からの光束がハーフミラー１１１で反射してファインダ光学系に導かれるとともに、ハーフミラー１１１を透過した光束がサブミラー１２２で反射して焦点検出ユニット１２１に導かれる。
【００３２】
第１の光路分割状態では、ファインダレンズ１０９を介して上記光束によって形成された物体像を観察することができるとともに、焦点検出ユニット１２１において焦点検出を行わせることができる。なお、図６では、第１の光路分割状態を示している。
【００３３】
第２の光路分割状態（透過／反射状態）では、撮影光学系１０３からの光束がハーフミラー１１１を透過して撮像素子１０６に到達するとともに、ハーフミラー１１１で反射して焦点検出ユニット１２１に導かれる。第２の光路分割状態では、撮像された画像データをディスプレイユニット１０７上でリアルタイム表示させたり、高速連続撮影を行ったりすることができる。ここで、第２の光路分割状態では、光路分割系を動作させずに撮像素子１０６での撮像を行うことができるため、信号処理系での動作を高速化させることで高速連続撮影を行うことができる。
【００３４】
また、第２の光路分割状態では、焦点検出ユニット１２１において焦点検出を行わせることができる。このため、ディスプレイユニット１０７でのモニタ中でも、位相差検出方式による高速な焦点調節を行うことが可能である。
【００３５】
第３の光路分割状態（退避状態）では、撮影光学系１０３からの光束がダイレクトに撮像素子１０６に導かれる。この状態において、ハーフミラー１１１およびサブミラー１２２は、撮影光路から退避している。第３の光路分割状態は、大型のプリントなどに好適な高精細な画像を生成するために使用される。
【００３６】
光路分割系の駆動は、不図示の電磁モータおよびギア列を有するミラー駆動機構１５０によって行われ、ハーフミラー１１１およびサブミラー１２２それぞれの位置を変化させることで、第１から第３の光路分割状態の間で切り換えることができる。ミラー駆動機構１５０の駆動制御は、カメラシステム制御回路１３５によって行われる。
【００３７】
ここで、上述した３通りの光路分割状態を高速で切り換えるために、ハーフミラー１１１を透明樹脂で形成して軽量化を図っている。また、ハーフミラー１１１の裏面（図６においてサブミラー１２２側の面）には、複屈折性を持つ高分子薄膜が貼り付けられている。これは、画像をモニタ（リアルタイム表示）する場合や高速連続撮影を行う場合のように撮像素子１０６の全画素を用いて撮像しないことに対応させて、さらに強いローパス効果を付与するためである。
【００３８】
なお、ハーフミラー１１１の表面に、可視光の波長よりも小さなピッチを持つ微細な角錐状の周期構造を形成し、いわゆるフォトニック結晶として作用させることによって、空気と樹脂との屈折率差による光の表面反射を低減し、光の利用効率を高めることも可能である。このように構成すると、第２の光路分割状態において、ハーフミラー１１１の裏面および表面での光の多重反射によってゴーストが発生するのを防ぐことができる。
【００３９】
１０４は可動式の閃光発光ユニットであり、カメラ本体１０１に収納される収納位置とカメラ本体１０１から突出した発光位置との間で移動可能である。１１３は像面に入射する光量を調節するフォーカルプレンシャッタ、１１９はカメラ本体１０１を起動させるためのメインスイッチである。
【００４０】
１２０は２段階で押圧操作されるレリーズボタンであり、半押し操作（ＳＷ１のＯＮ）で撮影準備動作（測光動作や焦点調節動作等）が開始され、全押し操作（ＳＷ２のＯＮ）で撮影動作（撮像素子１０６から読み出された画像データの記録媒体への記録）が開始される。
【００４１】
１２３はモード切換スイッチ（操作手段）であり、ＯＶＦモードおよびＥＶＦモード間の切り換えを行うために操作される。ファインダモード切換スイッチ１２３は、スライド式のスイッチになっており、ＯＶＦモード又はＥＶＦモードの設定位置まで移動させると、この位置を保持できる構成となっている。
【００４２】
１８０は、フォーカシングスクリーン１０５上に特定の情報を表示させるための光学ファインダ内情報表示ユニットである。
【００４３】
次に、測光レンズ１４５および測光センサ１４４を有する測光光学系について説明する。
【００４４】
第１の光路分割状態では、撮影レンズ１０３を透過した撮影光束はハーフミラー１１１で反射してフォーカシングスクリーン１０５の上面（ペンタプリズム１１２側の面）に結像する。フォーカシングスクリーン１０５の上面にはマット処理が施されており、撮影光束を拡散させている。このため、フォーカシングスクリーン１０５の上面に撮影光束が結像した場合には、撮影者はファインダ光学系を介して鮮明な撮影画像を観察することができるが、結像していない場合には、撮影光束が拡散されてボケた撮影画像しか見ることができない。フォーカシングスクリーン１０５の上面は、撮像素子１０６の結像位置と光学的に等価な位置に配置されているため、フォーカシングスクリーン１０５の上面での拡散作用を利用して、撮影者は撮影光学系の焦点状態を把握することができる。
【００４５】
フォーカシングスクリーン１０５の上面で拡散された光束は、光軸（ファインダ光軸）と平行な成分が多く、光軸に対して角度を持つ成分は該角度が大きくなるほど少なくなっている。測光光学系は、図３に示すように、光軸に対して略６度傾いた角度からフォーカシングスクリーン１０５の上面を観察できる位置に配置されている。すなわち、光軸に対してそれほど大きくない角度を持つ成分が測光光学系に入射するようになっているため、第１の光路分割状態（図３）においてハーフミラー１１１で反射した光束を、ファインダレンズ１０９に導くとともに、測光光学系にも導くことができる。
【００４６】
測光光学系に到達した光束は、測光レンズ１４５で測光センサ１４４の受光面に結像される。ここで、測光センサ１４４の受光面は３５（７×５）分割されており、３５分割された各測光エリアで被写体輝度の測定が行われる。なお、測光センサ１４４の受光面は、撮像素子１０６の結像面（受光面）と光学的に等価の位置に設けられている。
【００４７】
図７は、本実施例におけるカメラシステムの電気的構成を示すブロック図である。ここで、図６で説明した部材と同じ部材については同一符号を用いている。まず、物体像の撮像、記録に関する部分から説明する。
【００４８】
カメラシステムは、撮像系、画像処理系、記録再生系および制御系を有する。撮像系は、撮影光学系１０３および撮像素子１０６を有し、画像処理系は、Ａ／Ｄ変換器１３０、ＲＧＢ画像処理回路１３１およびＹＣ処理回路１３２を有する。また、記録再生系は、記録処理回路１３３および再生処理回路１３４を有し、制御系は、カメラシステム制御回路（制御手段）１３５、操作検出回路１３６、撮像素子駆動回路１３７および測光制御回路１４３を有する。
【００４９】
１３８は、外部のコンピュータ等に接続され、データの送受信を行うために規格化された接続端子である。上述した電気回路は、不図示の小型燃料電池からの電力供給を受けて駆動する。
【００５０】
撮像系は、物体からの光を、撮影光学系１０３を介して撮像素子１０６の撮像面に結像させる光学処理系である。撮影光学系１０３内に設けられた不図示の絞りの駆動を制御するとともに、必要に応じてフォーカルプレンシャッタ１１３の駆動を制御することによって、適切な光量の物体光を撮像素子１０６で受光させることができる。
【００５１】
撮像素子１０６として、正方画素が長辺方向に３７００個、短辺方向に２８００個並べられ、合計約１０００万個の画素数を有する撮像素子が用いられている。そして、各画素にＲ（赤色）Ｇ（緑色）Ｂ（青色）のカラーフィルタが交互に配置され、４画素が一組となるいわゆるベイヤー配列を構成している。
【００５２】
ベイヤー配列では、観察者が画像を見たときに強く感じやすいＧの画素をＲやＢの画素よりも多く配置することで、総合的な画像性能を上げている。一般に、この方式の撮像素子を用いる画像処理では、輝度信号は主にＧから生成し、色信号はＲ、Ｇ、Ｂから生成する。
【００５３】
撮像素子１０６から読み出された信号は、Ａ／Ｄ変換器１３０を介して画像処理系に供給される。この画像処理系での画像処理によって画像データが生成される。
【００５４】
Ａ／Ｄ変換器１３０は、撮像素子１０６の各画素から読み出された信号の振幅に応じて、例えば撮像素子１０６の出力信号を１０ビットのデジタル信号に変換して出力する信号変換回路であり、以降の画像処理はデジタル処理にて実行される。
【００５５】
画像処理系は、Ｒ、Ｇ、Ｂのデジタル信号から所望の形式の画像信号を得る信号処理回路であり、Ｒ、Ｇ、Ｂの色信号を輝度信号Ｙおよび色差信号（Ｒ−Ｙ）、（Ｂ−Ｙ）にて表わされるＹＣ信号などに変換する。
【００５６】
ＲＧＢ画像処理回路１３１は、Ａ／Ｄ変換器１３０の出力信号を処理する信号処理回路であり、ホワイトバランス回路、ガンマ補正回路、補間演算による高解像度化を行う補間演算回路を有する。
【００５７】
ＹＣ処理回路１３２は、輝度信号Ｙおよび色差信号Ｒ−Ｙ、Ｂ−Ｙを生成する信号処理回路である。このＹＣ処理回路１３２は、高域輝度信号ＹＨを生成する高域輝度信号発生回路、低域輝度信号ＹＬを生成する低域輝度信号発生回路および、色差信号Ｒ−Ｙ、Ｂ−Ｙを生成する色差信号発生回路を有している。輝度信号Ｙは、高域輝度信号ＹＨと低域輝度信号ＹＬを合成することによって形成される。
【００５８】
記録再生系は、不図示のメモリへの画像信号の出力と、ディスプレイユニット１０７への画像信号の出力とを行う処理系である。記録処理回路１３３はメモリへの画像信号の書き込み処理および読み出し処理を行い、再生処理回路１３４はメモリから読み出した画像信号を再生して、ディスプレイユニット１０７に出力する。
【００５９】
また、記録処理回路１３３は、静止画データおよび動画データを表わすＹＣ信号を所定の圧縮形式にて圧縮するとともに、圧縮されたデータを伸張させる圧縮伸張回路を内部に有する。圧縮伸張回路は、信号処理のためのフレームメモリなどを有しており、このフレームメモリに画像処理系からのＹＣ信号をフレーム毎に蓄積し、複数のブロックのうち各ブロックから蓄積された信号を読み出して圧縮符号化する。圧縮符号化は、例えば、ブロック毎の画像信号を２次元直交変換、正規化およびハフマン符号化することにより行われる。
【００６０】
再生処理回路１３４は、輝度信号Ｙおよび色差信号Ｒ−Ｙ、Ｂ−Ｙをマトリクス変換して、例えばＲＧＢ信号に変換する回路である。再生処理回路１３４によって変換された信号はディスプレイユニット１０７に出力され、可視画像として表示（再生）される。再生処理回路１３４およびディスプレイユニット１０７は、Ｂｌｕｅｔｏｏｔｈなどの無線通信を介して接続されていてもよく、このように構成すれば、このカメラで撮像された画像を離れたところからモニタすることができる。
【００６１】
一方、制御系における操作検出回路１３６は、メインスイッチ１１９、レリーズボタン１２０、ファインダモード切換スイッチ１２３、撮影モード設定スイッチ１２６等（他のスイッチは図７では不図示）の操作を検出して、この検出結果をカメラシステム制御回路１３５に出力する。
【００６２】
ここで、撮影モード設定スイッチ１２６は、カメラにおいて設定可能な複数の撮影モードのうちいずれか１つの撮影モードを選択して、設定するために操作されるスイッチである。上記撮影モードとしては、例えば、シャッタ優先撮影モード、絞り優先撮影モード、後述するリモート撮影モードおよびセルフタイマ撮影モードがある。
【００６３】
カメラシステム制御回路１３５は、操作検出回路１３６からの検出信号を受けることで、検出結果に応じた動作を行う。また、カメラシステム制御回路１３５は、撮像動作を行う際のタイミング信号を生成して、撮像素子駆動回路１３７に出力する。
【００６４】
撮像素子駆動回路１３７は、カメラシステム制御回路１３５からの制御信号を受けることで撮像素子１０６を駆動させるための駆動信号を生成する。情報表示回路１４２は、カメラシステム制御回路１３５からの制御信号を受けて光学ファインダ内情報表示ユニット１８０の駆動を制御する。
【００６５】
測光制御回路１４３は、カメラシステム制御回路１３５からの出力に基づいて測光センサ１４４の駆動を制御する。アイピースシャッタ駆動機構１５１は、カメラシステム制御回路１３５の制御によって、アイピースシャッタ１６３をファインダ光学系の光路内に進入させたり、該光路から退避させたりする。
【００６６】
制御系は、カメラ本体１０１に設けられた各種スイッチの操作に応じて撮像系、画像処理系および記録再生系での駆動を制御する。例えば、レリーズボタン１２０の操作によってＳＷ２がＯＮとなった場合、制御系（カメラシステム制御回路１３５）は、撮像素子１０６の駆動、ＲＧＢ画像処理回路１３１の動作、記録処理回路１３３の圧縮処理などを制御する。さらに、制御系は、情報表示回路１４２を介して光学ファインダ内情報表示ユニット１８０の駆動を制御することによって、光学ファインダ内での表示（表示セグメントの状態）を変更する。
【００６７】
次に、撮影光学系１０３の焦点調節動作に関して説明する。
【００６８】
カメラシステム制御回路１３５はＡＦ制御回路１４０と接続している。また、レンズ装置１０２をカメラ本体１０１に装着することで、カメラシステム制御回路１３５は、マウント接点１０１ａ、１０２ａを介してレンズ装置１０２内のレンズシステム制御回路１４１と接続される。そして、ＡＦ制御回路１４０およびレンズシステム制御回路１４１と、カメラシステム制御回路１３５とは、特定の処理の際に必要となるデータを相互に通信する。
【００６９】
焦点検出ユニット１２１は、撮影画面内の所定位置に設けられた焦点検出領域での検出信号をＡＦ制御回路１４０に出力する。ＡＦ制御回路１４０は、焦点検出ユニット１２１からの出力信号に基づいて焦点検出信号を生成し、撮影光学系１０３の焦点調節状態（デフォーカス量）を検出する。そして、ＡＦ制御回路１４０は、検出したデフォーカス量を撮影光学系１０３の一部の要素であるフォーカシングレンズの駆動量に変換し、フォーカシングレンズの駆動量に関するデータを、カメラシステム制御回路１３５を介してレンズシステム制御回路１４１に送信する。
【００７０】
ここで、移動する物体に対して焦点調節を行う場合、ＡＦ制御回路１４０は、レリーズボタン１２０が全押し操作されてから実際の撮像制御が開始されるまでのタイムラグを勘案して、フォーカシングレンズの適切な停止位置を予測する。そして、予測した停止位置へのフォーカシングレンズの駆動量に関するデータをレンズシステム制御回路１４１に送信する。
【００７１】
一方、カメラシステム制御回路１３５が、撮像素子１０６の出力信号に基づいて物体の輝度が低く、十分な焦点検出精度が得られないと判定したときには、閃光発光ユニット１０４又は、カメラ本体１０１に設けられた不図示の白色ＬＥＤや蛍光管を駆動することによって物体を照明する。
【００７２】
レンズシステム制御回路１４１はフォーカシングレンズの駆動量に関するデータを受信すると、レンズ装置１０２内の不図示の駆動機構を駆動することによってフォーカシングレンズを光軸Ｌ１方向に移動させる。なお、上述したようにフォーカシングレンズが液体レンズ等で構成されている場合には、界面形状を変化させることになる。これにより、撮影光学系１０３の焦点調節動作が行われる。
【００７３】
ＡＦ制御回路１４０において物体にピントが合ったことが検出されると、この情報はカメラシステム制御回路１３５に送信される。このとき、レリーズボタン１２０の全押し操作によってＳＷ２がＯＮ状態になれば、上述したように撮像系、画像処理系および記録再生系によって撮影動作が行われる。
【００７４】
次に、測光センサ１４４を用いた測光動作について説明する。
【００７５】
測光レンズ１４５を透過した光束が、３５分割された測光センサ１４４の受光面で受光されると、測光センサ１４４には検出電流が発生する。測光制御回路１４３は、３５分割された各測光エリアの検出電流を電圧に変換して、カメラシステム制御回路１３５に検出信号として送る。
【００７６】
カメラシステム制御回路１３５は、測光制御回路１４３から送られてきた各測光エリアの検出電圧をＡ／Ｄ変換し、各測光エリアにおける輝度情報を得る。そして、カメラシステム制御回路１３５は、撮影者によって選択された測光方式に応じて、各測光エリアにおける輝度の重み付けを行い、最終的な露出演算に用いる輝度を決定する。
【００７７】
上記測光方式としては、例えば、すべての測光エリアで測光を行い被写体に最適な露出を得るための評価測光方式や、画面中央領域に対して測光する中央部部分測光方式や、画面中央領域に重点を置きつつ、画面全体を平均的に測光する中央部重点平均測光方式がある。撮影者はディスプレイユニット１０７での表示内容を見ながらカメラに設けられたスイッチ（不図示）を操作することによって、上述した測光方式を選択することができる。
【００７８】
図１から図５は本実施例におけるカメラシステムの断面図である。なお、これらの図においては、レンズ装置１０２の一部を示している。また、図６で説明した部材と同じ部材については同一符号を用いている。
【００７９】
ここで、図１は第２の光路分割状態にあるときのカメラシステムの断面図、図２は第１の光路分割状態および第２の光路分割状態の間で切り換わる途中の状態にあるカメラシステムの断面図である。図３は第１の光路分割状態にあるときのカメラシステムの断面図、図４は第１の光路分割状態および第３の光路分割状態の間で切り換わる途中の状態にあるカメラシステムの断面図、図５は第３の光路分割状態にあるときのカメラシステムの断面図である。
【００８０】
以下、ハーフミラー１１１およびサブミラー１２２で構成される光路分割系が上述した第１の光路分割状態にあるときの図（図３）を用いてカメラシステムの構成について説明する。
【００８１】
図３において、１０１はカメラ本体、１０２はレンズ装置である。レンズ装置１０２は、レンズ側マウント１０２ｂを介してカメラ側マウント１０１ｂに装着される。１０３ａは撮影光学系１０３を構成する複数のレンズのうち最も像面側に位置する撮影レンズ、１０５はファインダ光学系のフォーカシングスクリーンである。１０７はディスプレイユニット、１６３はアイピースシャッタ（ファインダシャッタ）である。
【００８２】
１６４は焦点検出ユニット１２１における光束の取り込み窓となるコンデンサーレンズ、１６５はコンデンサーレンズ１６４からの光束を反射させる反射ミラーである。１６６は反射ミラー１６５で反射した光束を焦点検出センサ１２２上で結像させるための再結像レンズ、１２２は焦点検出センサである。
【００８３】
１１１は可動型のハーフミラーで、不図示のハーフミラー受け板に保持されている。ハーフミラー受け板の両側縁部（紙面奥方向および紙面手前方向）には、それぞれピン１７３が設けられているとともに、一方の側縁部（紙面奥方向）にはピン１７４が設けられている。ここで、ハーフミラー１１１とピン１７３、１７４は一体的に移動するようになっている。
【００８４】
１７０はハーフミラー駆動レバー、１７１はハーフミラー支持アームである。ハーフミラー駆動レバー１７０は、カメラ本体１０１に固定された回転軸１７０ａに対して回転可能に支持され、ハーフミラー支持アーム１７１はカメラ本体１０１に固定された回転軸１７１ａに対して回転可能に支持されている。
【００８５】
また、ハーフミラー支持アーム１７１は接続部１７１ｂを介してミラーボックスの対向する壁面側に設けられた略同一形状の構造と接続されている。不図示のハーフミラー受け板の両側に設けられたピン１７３は、ハーフミラー支持アーム１７１の先端に設けられた貫通孔部１７１ｃに係合している。これにより、ハーフミラー１１１は、ハーフミラー受け板を介して貫通孔部１７１ｃを中心に回動可能となっている。
【００８６】
ハーフミラー受け板は、ピン１７３とピン１７４の中間位置において不図示のトーションバネによって矢印Ａ方向に付勢されており、該トーションバネの付勢力はハーフミラー受け板を介してハーフミラー１１１にも働いている。
【００８７】
第１の光路分割状態では、ミラーストッパ１６０、１６１がハーフミラー１１１の移動領域内に進入した状態にあるため、ハーフミラー１１１は、上記トーションバネの付勢力を受けてミラーストッパ１６０、１６１に当接している。このとき、ピン１７３とハーフミラー駆動レバー１７０の第１のカム面１７０ｂとの間および、ピン１７４とハーフミラー駆動レバー１７０の第２のカム面１７０ｃとの間には若干の隙間がある。これにより、ハーフミラー１１１は、図３に示す状態で位置決めされている。
【００８８】
なお、ミラーストッパ１６０、１６１は、ミラー駆動機構１５０の駆動によってハーフミラー１１１の移動領域内に進入したり、退避したりすることができる。また、ミラーストッパ１６０、１６１は、ハーフミラー１１１の移動領域内にあるか移動領域外にあるかを問わず、撮影光路外（撮影光束に影響を与えない位置）に位置している。さらに、後述するミラーストッパ１７５、１７６も同様に撮影光路外に位置している。
【００８９】
一方、サブミラー１２２は回転軸１２５を中心に回転可能となっており、第１の光路分割状態では、図３に示すようにハーフミラー１１１からの透過光を焦点検出ユニット１２１（コンデンサーレンズ１６４）側に反射させる位置に保持されている。
【００９０】
第１の光路分割状態において、撮影光学系１０３からの光束のうち一部の光束はハーフミラー１１１で反射してファインダ光学系に導かれ、残りの光束はハーフミラー１１１を透過しサブミラー１２２で反射して焦点検出ユニット１２１に導かれる。
【００９１】
図３に示す状態にあるミラーストッパ１６０、１６１がハーフミラー１１１の移動領域から退避したとき、ハーフミラー１１１は不図示のトーションバネによる矢印Ａ方向の付勢力を受けて図２に示す状態となる。このとき、トーションバネの付勢力により、ピン１７３はハーフミラー駆動レバー１７０の第１のカム面１７０ｂに当接し、ピン１７４はハーフミラー駆動レバー１７０の第２のカム面１７０ｃに当接する。
【００９２】
そして、ハーフミラー駆動レバー１７０の回転に応じて第１のカム面１７０ｂと第２のカム面１７０ｃに沿ってピン１７３、１７４がそれぞれ摺動し、ハーフミラー１１１の姿勢が変化する。すなわち、ハーフミラー駆動レバー１７０の回転に伴ってハーフミラー支持アーム１７１が回転し、ハーフミラー駆動レバー１７０およびハーフミラー支持アーム１７１に対してピン１７３、１７４を介して連結されている不図示のハーフミラー受け板とハーフミラー１１１が一体的に動作する。
【００９３】
ハーフミラー駆動レバー１７０およびハーフミラー支持アーム１７１が図３中反時計方向に回動することによって、ハーフミラー１１１は図１に示すようにミラーストッパ１７５、１７６に当接する。このとき、ハーフミラー１１１は不図示のトーションバネによる矢印Ａ方向の付勢力を受けているため、図１に示す状態、すなわち第２の光路分割状態に保持される。
【００９４】
ここで、ハーフミラー１１１が第１の光路分割状態から第２の光路分割状態に移行するときには、サブミラー１２２が回転軸１２５を中心に図３中時計方向に回動することによってミラーボックスの下部まで移動する。すなわち、ハーフミラー１１１が第１の光路分割状態から第２の光路分割状態に移行する前に、サブミラー１２２がミラーボックスの下部へ移動することで、ハーフミラー１１１がサブミラー１２２に衝突するのを避けている。
【００９５】
第２の光路分割状態では、図１に示すように撮影レンズ１０３ａからの光束のうち一部の光束がハーフミラー１１１で反射して焦点検出ユニット１２１に導かれるとともに、残りの光束がハーフミラー１１１を透過して撮像素子１０６に到達する。
【００９６】
一方、第１の光路分割状態（図３）から第３の光路分割状態（図５）に移行する際には、ハーフミラー駆動レバー１７０が図３中時計方向に回転することにより、ハーフミラー１１１を撮影光路に対してカメラ本体１０１の上方（フォーカシングスクリーン１０５側）に退避させる。また、回転軸１２５を中心としてサブミラー１２２を図３中時計方向に回転させることにより、サブミラー１２２を撮影光路に対してカメラ本体１０１の下側に退避させる。
【００９７】
第３の光路分割状態では、図５に示すように撮影レンズ１０３ａからの光束が撮像素子１０６に到達する。
【００９８】
次に、第２の光路分割状態において、撮像素子１０６の出力を用いて被写体輝度の測定（測光）を行う場合について説明する。
【００９９】
上述したように第２の光路分割状態ではファインダ光学系に撮影光束が導かれないため、測光センサ１４４を用いて測光することができない。一方、撮影レンズ１０３ａから射出された物体光は、ハーフミラー１１１を透過して撮像素子１０６に到達する。このため、第２の光路分割状態では、上記透過光に対する撮像素子１０６での光電変換によって生成された信号を用いて被写体輝度を測定する。
【０１００】
第２の光路状態では、６０Ｈｚのフレームレートで撮像動作を行い、得られた画像をディスプレイユニット１０７でリアルタイム表示する。６０Ｈｚのフレームレートを実現するために、撮像素子１０６では間引いた読み出しが行われる。撮像素子１０６は上述したようにＣＭＯＳで構成されており、任意の画素へのランダムアクセスが可能であるため、リアルタイム表示用に間引いた読み出しが行える。
【０１０１】
撮像素子１０６から間引いて読み出された画像信号は、Ａ／Ｄ変換器１３０において、各画素での信号の振幅に応じた１０ビットのデジタル信号に変換される。１０ビットのデジタル信号に変換されたＲ、Ｇ、Ｂの画像信号は、画像処理系での処理によって輝度信号Ｙおよび色差信号Ｒ−Ｙ、Ｂ−Ｙに変換される。
【０１０２】
ここで、撮像素子１０６の出力信号を用いて測光を行う場合には、輝度信号Ｙの強度分布に基づいて被写体輝度を決定する。そして、撮影者によって選択された測光方式に応じて、輝度信号Ｙの強度分布に重み付けを行い、最終的な露出演算に用いる輝度を決定する。
【０１０３】
上述した構成のカメラシステムにおける撮影シーケンスについて、図８を用いて説明する。なお、図８に示す動作はカメラシステム制御回路１３５において行われる。
【０１０４】
ステップＳ１００では、メインスイッチ１１９がオンであるか否かを判別する。ここで、メインスイッチ１１９がオンの場合にはステップＳ１０１に進む。ステップＳ１０１では、カメラシステム内の電気回路への電力供給を行うことで、カメラシステムを起動させる。
【０１０５】
ステップＳ２００では、ファインダモード切り換えサブルーチンを実行する。この動作の詳細については後述する。
【０１０６】
ステップＳ１０２では、操作検出回路１３６の出力に基づいて、ファインダファインダモード切換スイッチ１２３の操作が行われたか否かを判別する。ファインダモード切換スイッチ１２３の操作が検出されたときには、ステップＳ２００でファインダモードの切り換え動作を実行する。一方、ファインダモード切換スイッチ１２３の操作が検出されなかったときには、ステップＳ１０３に進む。
【０１０７】
ステップＳ１０３では、撮影モード設定スイッチ１２６の操作によって、リモート撮影モードやセルフタイマ撮影モードが設定されているか否かを判別する。ここで、リモート撮影モードは、カメラ本体１０１とは別体のリモートコントロール装置からの操作により撮影準備動作（ＳＷ１オン）および撮影動作（ＳＷ２オン）を開始させるモードであり、撮影者本人が被写体となる場合などに用いられる場合が多い。また、セルフタイマ撮影モードでは、レリーズボタン１２０の全押し操作が行われてから所定時間経過後に撮影動作が開始されるモードであり、該モードも撮影者本人が被写体となる場合などに用いられる場合が多い。
【０１０８】
ステップＳ１０３でリモート撮影モードやセルフタイマ撮影モードが設定されていると判別したときには、ステップＳ１１９に進む。ステップＳ１１９において、カメラシステム制御回路１３５は、アイピースシャッタ駆動機構１５１を介してアイピースシャッタ１６３をファインダ光学系の光路内に進入させる（閉じ状態）。
【０１０９】
リモート撮影モードやセルフタイマ撮影モードでは、光学ファインダの接眼部を撮影者が覗かないため、接眼部からカメラ本体１０１内にファインダ逆入射光が入り込みやすい。ここで、測光センサ１４４はファインダ光学系内に配置され、接眼部に近い位置にあるため、ファインダ逆入射光が測光センサ１４４に到達するおそれが高い。
【０１１０】
ファインダ逆入射光が測光センサ１４４に到達した場合は、測光検出誤差の要因となり、高精度の測光を行うことができないおそれがある。また、ファインダ逆入射光が焦点検出ユニット１２１に到達した場合には、焦点検出誤差の要因となり、高精度の焦点検出を行うことができないおそれがある。
【０１１１】
このため、ステップＳ１１９においてアイピースシャッタ１６３を閉じ状態とさせることで、高精度な測光動作と焦点検出動作を行えるようにしている。そして、アイピースシャッタ１６３を閉じ状態とさせた後は、ステップＳ１０４に進む。
【０１１２】
ステップＳ１０３において、リモート撮影モードやセルフタイマ撮影モードが設定されていないと判別したときには、ステップＳ１０４に進む。
【０１１３】
ステップＳ１０４では、操作検出回路１３６を介して、ファインダモード切換スイッチ１２３で選択されているモードがＥＶＦモードであるか否かを判別する。ここで、ＯＶＦモードが選択されている場合にはステップＳ１０５に進み、ファインダ光学系内に設けられた測光センサ１４４を用いて測光を行う。一方、ＥＶＦモードが選択されている場合にはステップＳ１０６に進み、撮像素子１０６の出力を用いて測光を行う。
【０１１４】
ＯＶＦモード（第１の光路分割状態）では、撮影光束の一部がハーフミラー１１１で反射してファインダ光学系に導かれるとともに、残りの光束がハーフミラー１１１を透過し、サブミラー１２１で反射して焦点検出ユニット１２１に導かれ、焦点検出用の光束として用いられる。このため、撮像素子１０６には撮影光束が到達せず、撮像素子１０６の出力を用いて測光を行うことはできない。したがって、フォーカシングスクリーン１０５で拡散したハーフミラー１１１の反射光を用いて測光センサ１４４で測光を行うことで、撮影に適切な露出の演算を行うことができる。
【０１１５】
一方、ＥＶＦモード（第２の光路分割状態）では、撮影光束の一部がハーフミラー１１１で反射して焦点検出ユニット１２１に導かれるとともに、残りの光束がハーフミラー１１１を透過して撮像素子１０６に到達するため、ファインダ光学系（測光センサ１４４）には撮影光束が導かれない。このため、ファインダ光学系に設けられた測光センサ１４４を用いて測光を行うことはできない。したがって、本実施例では、ハーフミラー１１１の透過光を受光する撮像素子１０６の出力信号から得られる輝度信号Ｙを用いて測光を行う。これにより、ＥＶＦモードにおいても、撮影に適切な露出の演算を行うことができる。
【０１１６】
ステップＳ１０７では、レリーズボタン１２０の半押し操作によってＳＷ１がオンであるか否かを判別する。ここで、ＳＷ１がオンでない場合にはＳ１０２に戻り、再びファインダモード切換スイッチ１２３の操作が行われたか否かを判別する。一方、ＳＷ１がオンである場合には、ステップＳ１０８に進む。
【０１１７】
ステップＳ１０８において、カメラシステム制御回路１３５は、ＡＦ制御回路１４０にＡＦ開始信号を送ることで、焦点検出センサ１６７での焦点検出動作を開始させる。レンズシステム制御回路１４１は、上述したように、ＡＦ制御回路１４０で得られたレンズ駆動量の分だけ撮影光学系１３０のフォーカスレンズを駆動させることで、撮影光学系の焦点調節を行う。
【０１１８】
ステップＳ１０９では、ファインダモード切換スイッチ１２３で選択されているモードがＥＶＦモードであるか否かを判別する。ここで、ＯＶＦモードが選択されている場合にはステップＳ１１０に進み、ファインダ光学系内に設けられた測光センサ１４４を用いて測光を行う。一方、ＥＶＦモードが選択されている場合にはステップＳ１１１に進み、撮像素子１０６の出力を用いて測光を行う。
【０１１９】
ＯＶＦモード（第１の光路分割状態）では、撮影光束の一部がハーフミラー１１１で反射してファインダ光学系に導かれるとともに、残りの光束がハーフミラー１１１を透過し、サブミラー１２１で反射して焦点検出ユニット１２１に導かれ、焦点検出用の光束として用いられる。このため、撮像素子１０６には撮影光束が到達せず、撮像素子１０６の出力を用いて測光を行うことはできない。したがって、フォーカシングスクリーン１０５で拡散したハーフミラー１１１の反射光を用いて測光センサ１４４で測光を行うことで、撮影に適切な露出の演算を行うことができる。
【０１２０】
一方、ＥＶＦモード（第２の光路分割状態）では、撮影光束の一部がハーフミラー１１１で反射して焦点検出ユニット１２１に導かれるとともに、残りの光束がハーフミラー１１１を透過して撮像素子１０６に到達するため、ファインダ光学系（測光センサ１４４）には撮影光束が導かれない。このため、ファインダ光学系に設けられた測光センサ１４４を用いて測光を行うことはできない。したがって、本実施例では、ハーフミラー１１１の透過光を受光する撮像素子１０６の出力信号から得られる輝度信号Ｙを用いて測光を行う。これにより、ＥＶＦモードにおいても、撮影に適切な露出の演算を行うことができる。
【０１２１】
そして、ステップＳ１１０又はステップＳ１１１での測光結果を用いて、後述するステップＳ１１５における撮像動作を行う際の露出値（シャッタ速度および絞り値）を決定する。
【０１２２】
ステップＳ１１２では、レリーズボタン１２０の全押し操作によりＳＷ２がオンであるか否かを判別する。ここで、ＳＷ２がオンでない場合にはＳ１０４に戻り、再びファインダモード（ＯＶＦモード・ＥＶＦモード）の判別を行う。一方、ＳＷ２がオンである場合には、ステップＳ１１３に進む。
【０１２３】
ステップＳ１１３では、ファインダ光学系内に設けられたアイピースシャッタ１６３を閉じ状態とさせる。ここで、ステップＳ１１９で予めアイピースシャッタ１６３が閉じ状態となっているときには、本ステップでの動作は行わない。
【０１２４】
ステップＳ１１４において、カメラシステム制御回路１３５は、ミラー駆動機構１５０にミラー駆動開始信号を送り、ハーフミラー１１１とサブミラー１２２の位置を変化させて第３の光路分割状態（図５）にセットする。第３の光路分割状態では、ハーフミラー１１１とサブミラー１２２が撮影光路から退避するため、撮影光学系１０３からの光束をダイレクトに撮像素子１０６に到達させることができる。
【０１２５】
ステップＳ１１５では、カメラシステム制御回路１３５は、レンズシステム制御回路１４１を介してレンズ装置１０２内に設けられた絞り（不図示）の駆動を制御するとともに、必要に応じてフォーカルプレンシャッタ１１３の駆動を制御する。これにより、適切な光量の物体光を、撮影光学系１０３を介して撮像素子１０６の撮像面に結像させる。このときの露光量は、ステップＳ１１０又はステップＳ１１１で得られた測光結果に基づいて決定された露出量となる。
【０１２６】
また、カメラシステム制御回路１３５は、撮像素子駆動回路１３７に撮像開始信号を送り、撮像素子１０６での撮像動作（電荷蓄積および蓄積された電荷の読み出し）を行わせる。
【０１２７】
ステップＳ１１６では、撮像素子１０６から読み出された画像信号が、Ａ／Ｄ変換器１３０を介してＲＧＢ画像処理回路１３１に送られ、ホワイトバランス処理、ガンマ補正、補間演算処理が施される。また、ＹＣ処理回路１３２でＹＣ処理が施されて画像処理が完了する。第３の光路分割状態での撮影においては、撮影レンズ１０３ａからの光束が直接撮像素子１０６に到達するため、高精彩な画像の取り込みが可能となる。
【０１２８】
ステップＳ１１７では、画像処理後の画像データを記録処理回路１３３に送り、所定の圧縮形式にて圧縮してから記録媒体（カメラ本体１０１に内蔵されていたり、カメラ本体１０１に着脱可能に装着されていたりする）に記録する。
【０１２９】
ステップＳ１１８では、画像処理後の画像データを再生処理回路１３４にも送り、ディスプレイ１０７において撮像した画像データを表示（プレビュー表示）させる。プレビュー表示後は、ファインダモード切り換えサブルーチン（Ｓ２００）に戻り、ファインダモード切換スイッチ１２３の操作状態に応じた光路分割状態に設定する。
【０１３０】
本実施例では、上述したように、ＯＶＦモードおよびＥＶＦモードのいずれにおいても測光動作を行うことができるとともに、撮影動作を行うときにファインダ逆入射光がカメラ本体１０１内に入り込むのを阻止することができる。
【０１３１】
次に、ファインダモード切り換えサブルーチン（Ｓ２００）について、図９を用いて説明する。
【０１３２】
ステップＳ２０１において、カメラシステム制御回路１３５は、操作検出回路１３６からの出力に基づいてファインダモード切換スイッチ１２３の状態を判別する。ここで、ＥＶＦモードに設定されている場合にはステップＳ２０２に進み、ＯＶＦモードに設定されている場合にはステップＳ２２０に進む。
【０１３３】
ここで、ステップＳ２０２以降の処理は、ＯＶＦモードからＥＶＦモードに切り換えるときの処理を示し、ステップＳ２２０以降の処理は、ＥＶＦモードからＯＶＦモードに切り換えるときの処理を示している。
【０１３４】
ステップＳ２０２では、ファインダ光学系に設けられたアイピースシャッタ１６３を閉じ状態とする。ステップＳ２０３では、情報表示回路１４２の駆動を制御することによって光学ファインダ内情報表示ユニット１８０の駆動を停止させる。これにより、ファインダ視野内での〜〜非表示状態となる。ここで、アイピースシャッタ１６３はステップＳ２０２での処理によってすでに閉じ状態となっているため、ファインダ視野内に特定の情報を表示させても、該情報を撮影者は見ることができない。したがって、光学ファインダ内情報表示ユニット１８０の駆動を停止させることで、カメラシステム内での不要な電力消費を抑制し、電池の消耗を遅らせることができる。
【０１３５】
ステップＳ２０４では、ハーフミラー１１１を第２の光路分割状態へ移動させるために、まず、サブミラー１２２をミラーボックスの下部まで移動させて撮影光路から退避させる。
【０１３６】
ステップＳ２０５では、ミラー駆動機構１５０の駆動を制御することによって、ミラーストッパ１６０、１６１をハーフミラー１１１の移動領域から退避させる。ミラーストッパ１６０、１６１を退避させた後、ステップＳ２０６でハーフミラー駆動レバー１７０を図３中反時計方向に回転させると、ハーフミラー１１１は、不図示のバネの付勢力（矢印Ａに示す力）を受けることで、図２に示す状態を経て第２の光路分割状態（図１）まで駆動される。
【０１３７】
この結果、撮影レンズ１０３ａから射出された光束のうち一部の光束は、ハーフミラー１１１で反射して焦点検出ユニット１２１に導かれ、残りの光束はハーフミラー１１１を透過して像面側に進む。
【０１３８】
第２の光路分割状態（図１）では、ピン１７３とハーフミラー駆動レバー１７０の第１のカム面１７０ｂとの間および、ピン１７４とハーフミラー駆動レバー１７０の第２のカム面１７０ｃとの間には若干の隙間が生じており、ハーフミラー１１１はミラーストッパ１７５とミラーストッパ１７６に当接して位置決めされる。
【０１３９】
第２の光路分割状態におけるハーフミラー１１１の反射面の位置は、第１の光路分割状態におけるサブミラー１２２の反射面の位置と略等しくなっている。このように構成することによって、第１の光路分割状態と第２の光路分割状態とで、焦点検出ユニット１２１に入射する光束の位置がずれるのを抑制することができる。
【０１４０】
第２の光路分割状態では、撮影レンズ１０３ａからの光束がハーフミラー１１１を透過して撮像素子１０６に到達するため、ハーフミラー１１１を透過した光束が撮像素子１０６上で形成する物体像のピント位置は、ハーフミラー１１１を透過しないで撮像素子１０６に到達する場合に比べて若干ずれる。
【０１４１】
このため、ステップＳ２０７では、上述したピント位置のずれを補正するためにピント補正モードを起動する。
【０１４２】
本実施例において、焦点検出ユニット１２１から出力される焦点検出信号は、第３の光路分割状態において撮影レンズ１０３ａからの光束が撮像素子１０６に直接到達したときのピント状態を示すようになっている。これに対して、第２の光路分割状態においてピント補正モードが設定されているときには、撮影レンズ１０３ａからの光束がハーフミラー１１１を透過して撮像素子１０６に到達したときのピント状態を示すように、上記焦点検出信号を補正している。このため、第２の光路分割状態における撮影光学系１０３内のフォーカスレンズの合焦位置は、第１および第３の光路分割状態での合焦位置に対して焦点検出信号を補正した分だけずれることになる。
【０１４３】
したがって、ＥＶＦモードにおいてＳＷ２をオンにして撮影動作を行う場合、すなわち、光路分割系を第２の光路分割状態から第３の光路分割状態に切り換える場合には、フォーカルプレンシャッタ１１３の先幕駆動機構のチャージとともに、フォーカスレンズの位置を上述したずれの分だけ補正する。すなわち、フォーカスレンズを、第２の光路分割状態での合焦位置から第３の光路分割状態での合焦位置に移動させる。この後、フォーカルプレンシャッタ１１３を所定時間だけ開き状態とすることで、撮像素子１０６による撮像動作を行う。
【０１４４】
上述したように構成することで、ＥＶＦモード（第２の光路分割状態）においてはディスプレイユニット１０７でピントのあった画像を確認することができ、第３の光路分割状態で撮影を行ったときにもピントのあった撮影画像を得ることができる。
【０１４５】
ステップＳ２０８では、フォーカルプレンシャッタ１１３の先幕だけを走行させてバルブ露光状態にすることで、撮影光学系１０３を通過した物体光を連続的に撮像素子１０６に到達させ、ディスプレイユニット１０７上で画像を表示させるための撮像が可能な状態とする。
【０１４６】
ステップＳ２０９では、ディスプレイユニット１０７の電源を投入する。ステップＳ２１０では、撮影光学系１０３によって形成された物体像に対して撮像素子１０６による撮像動作を連続的に行い、撮像素子１０６から読み出されて画像処理された画像データをディスプレイユニット１０７上でリアルタイム表示させる。そして、ＯＶＦモードからＥＶＦモードへの切り換え動作を終了する。
【０１４７】
ここで、ＥＶＦモードである第２の光路分割状態では、撮影レンズ１０３ａからの光束がハーフミラー１１１で屈折してから撮像素子１０６に到達する。このため、図１２に示すように、第２の光路分割状態における撮像素子１０６の受光領域１９０が、第３の光路分割状態における撮像素子１０６の受光領域１９１に対して撮像素子１０６の上下方向（図１の上下方向）で僅かにずれてしまうことがある。すなわち、第２の光路分割状態においてディスプレイユニット１０７でリアルタイム表示される画像が、第３の光路分割状態で撮影された画像と一致せずにずれてしまうことがある。
【０１４８】
ここで、領域１９０のうち領域１９１と重ならない領域１９０ａは、ディスプレイユニット１０７上でリアルタイム表示されるものの、第３の光路分割状態での撮影によって得られた画像には含まれない領域となる。
【０１４９】
本実施例のカメラでは、図１３に示すように、ディスプレイユニット１０７上でリアルタイム表示される画像領域のうち領域１９０ａに相当する領域１９２をブラックアウトさせて、領域１９０全体を表示させないようにしている。この処理は、再生処理回路１３４において行われる。
【０１５０】
これにより、実際に撮影された画像の中に、ディスプレイユニット１０７でリアルタイム表示された画像が含まれていないといった不具合を避けることができる。
【０１５１】
次に、図９のステップＳ２０１において、ＯＶＦモードが設定されていると判断された場合について説明する。すなわち、カメラをＥＶＦモードからＯＶＦモードに切り換える際の動作について説明する。
【０１５２】
ステップＳ２２０では、ディスプレイユニット１０７の駆動を停止させるとともに、撮像素子１０６による撮像動作を停止させる。
【０１５３】
ステップＳ２２１では、フォーカルプレンシャッタ１１３の後幕を走行させてシャッタを閉じ状態とし、撮影に備えて先幕および後幕の駆動機構をチャージする。ステップＳ２２２では、後のステップで行われるハーフミラー１１１の移動を可能にするために、ミラーストッパ１６０、１６１をハーフミラー１１１の移動領域から退避させる。
【０１５４】
ステップＳ２２３では、ハーフミラー駆動レバー１７０を図１中時計回りに回転させて、ハーフミラー１１１だけを図２の状態→図３の状態→図４の状態→図５の状態の順に移動させる。このとき、ハーフミラー１１１は、第１の光路分割状態（図３）を経て、第３の光路分割状態（図５）となる。
【０１５５】
ステップＳ２２４では、ミラーストッパ１６０、１６１をハーフミラー１１１の移動領域内に進入させ、ハーフミラー１１１を位置決めするための所定位置まで移動させる。
【０１５６】
上述したように、ミラーストッパ１６０、１６１をハーフミラー１１１の移動領域から退避させてからハーフミラー１１１を第３の光路分割状態まで移動させ、その後ミラーストッパ１６０、１６１をハーフミラー１１１の移動領域内に進入させているため、ハーフミラー１１１が移動する際にミラーストッパ１６０、１６１と衝突することはない。これにより、ＯＶＦモードからＥＶＦモードに切り換える際の機構的信頼性を高くできる。
【０１５７】
ステップＳ２２５では、ハーフミラー駆動レバー１７０を図５中反時計回りに回転させて、ハーフミラー１１１を第３の光路分割状態（図５の状態）から図４の状態を経て、第１の光路分割状態（図３の状態）に移動させる。ここで、ハーフミラー１１１は、ミラー駆動機構１５０内の不図示のバネの付勢力（図３の矢印Ａに示す力）を受けることにより、ミラーストッパ１６０、１６１に当接した状態となる。
【０１５８】
ステップＳ２２６では、ファインダ光学系内に設けられたアイピースシャッタ１６３を開き状態とする。
【０１５９】
ステップＳ２２７において、カメラシステム制御回路１３５は、カメラシステム内に設けられたＡＦ／ＭＦ切換スイッチ（不図示）の操作状態に基づいて、マニュアルフォーカスモードに設定されているか否かを判別する。ここで、マニュアルフォーカスモードに設定されていればステップＳ２０５に移行し、マニュアルフォーカスモードに設定されておらず、オートフォーカスモードに設定されていればステップＳ２２８に進む。
【０１６０】
マニュアルフォーカスモードに設定されている場合には、焦点検出ユニット１２１を動作させる必要がなく、また、ＯＶＦを用いるよりもＥＶＦを用いる方が背景（被写体像）のボケ具合を正確に把握することができる。このため、マニュアルフォーカスモードに設定されているときには、ディスプレイユニット１０７でのリアルタイム表示を行うために、ステップＳ２０５に進む。
【０１６１】
ここで、ステップＳ２０５に進む場合、アイピースシャッタ１６３を閉じ状態にさせる。これにより、マニュアルフォーカスモードの場合にＥＶＦを用いた被写体観察を優先させることができるとともに、ファインダ光学系からの逆入射光がリアルタイム表示される画像に悪影響を与えるのを抑制することができる。
【０１６２】
ステップＳ２２８では、サブミラー１２２を撮影光路内に進入させて、ハーフミラー１１１を透過した物体光を焦点検出ユニット１２１に導く所定の位置にセットする。ここで、ステップＳ２２０からステップＳ２２７までの処理を行う間、サブミラー１２２は第２の光路分割状態（図１）での位置、すなわち撮影光路から退避した位置にあり、ステップＳ２２８に進んだときに動作することになる。
【０１６３】
ステップＳ２２９において、カメラシステム制御回路１３５は光学ファインダ内情報表示ユニット１８０を駆動させて、ファインダ内情報表示を点灯させる。そして、ＥＶＦモードからＯＶＦモードへの切り換え動作を終了する。
【０１６４】
本実施例では、撮像画像をディスプレイユニット１０７で表示させる場合、すなわちＥＶＦモードの場合には、ハーフミラー１１１およびサブミラー１２２を有する光路分割系が第２の光路分割状態（図１）となっており、撮影レンズ１０３ａからの光束を焦点検出ユニット１２１に導いている。これにより、ＥＶＦモードのときにも、焦点検出ユニット１２１での位相差検出方式による焦点検出に基づいて、高速な焦点調節動作を行わせることができる。
【０１６５】
次に、焦点検出ユニット１２１における焦点検出のための信号処理について説明する。
【０１６６】
撮影レンズ１０３ａから射出した光束（物体光）は、第２の光路分割状態ではハーフミラー１１１で反射し、第１の光路分割状態ではサブミラー１２２で反射した後、ミラーボックスの下部に設けられたコンデンサーレンズ１６４に入射する。そして、コンデンサーレンズ１６４に入射した光束は、反射ミラー１６５で偏向し、再結像レンズ１６６の作用によって焦点検出センサ１６７上に物体の２次像を形成する。
【０１６７】
焦点検出センサ１６７には少なくとも２つの画素列が備えられている。２つの画素列それぞれから出力される信号波形を比較すると、撮影光学系１０３によって形成された物体像の焦点検出領域上での結像状態に応じて、相対的に横シフトした状態が観測される。上記結像状態が前ピンか後ピンかで、出力信号波形のシフト方向が逆になり、相関演算などの手法を用いてシフト方向およびシフト量（位相差）を検出するのが焦点検出の原理である。
【０１６８】
図１０と図１１は、ＡＦ制御回路１４０に入力された焦点検出センサ１６７の出力信号波形を表す図である。横軸は画素の並びを示し、縦軸は焦点検出センサ１６７の出力値を示している。図１０では、物体像にピントが合っていない状態での出力信号波形を示し、図１１では、物体像にピントが合った状態での出力信号波形を示している。
【０１６９】
一般に、焦点検出に用いられる光束は絞り開放状態での結像光束と同じではなく、結像光束の一部となっている。すなわち、焦点検出を行う場合には、暗いＦナンバーの光束が用いられる。また、カメラ内の機構の誤差を考慮すると、撮像素子１０６の位置と焦点検出センサ１６７の位置が厳密な意味で光学的に共役とはいえない。
【０１７０】
このため、物体像にピントが合った状態であっても、図１１に示すように２つの出力信号波形の間には、僅かの初期位相差Δが残る。該初期位相差Δは、上述したピント補正モード（図９のステップＳ２０７参照）において焦点検出信号に対する補正で用いられるものとは異なるものである。
【０１７１】
ここで、２つの像の相関演算で検出された位相差から初期位相差Δを差し引けば真の位相差を知ることができるため、初期位相差Δの存在自体は通常問題とならない。
【０１７２】
本実施例では、上述したように焦点検出に用いられる光束が、第１の光路分割状態においてサブミラー１２２から導かれる場合と、第２の光路分割状態においてハーフミラー１１１から導かれる場合とがある。この場合、第１の光路分割状態（図３）でのサブミラー１２２の反射面位置と、第２の光路分割状態（図１）でのハーフミラー１１１の反射面位置が、機構精度上完全には一致せず、光路分割状態に応じて初期位相差Δの値が異なってしまう。このため、相関演算で検出された位相差から一定の初期位相差Δを差し引いただけでは、第１および第２の光路分割状態での真の位相差を知ることができない。
【０１７３】
通常の部品加工精度では、２つの反射面位置が、該反射面の垂直方向に略３０μｍ程度ずれる可能性がある。ここで、反射面位置のずれをメカ的に小さくしようとすると、部品加工のためのコストが極めて高くなってしまう。
【０１７４】
そこで、本実施例では、第１の光路分割状態と第２の光路分割状態で初期位相差Δをそれぞれ設定し、光路分割状態に応じた初期位相差Δを用いることにより、焦点検出センサ１６７の出力信号に対して補正を行うようにしている。これにより、光路分割状態に応じた真の位相差を知ることができ、該位相差に基づいて精度の良い焦点検出を行うことができる。
【０１７５】
このように、初期位相差を考慮に入れて一組の信号の同一性を判定することで撮影光学系が合焦状態にあるか否かを判別できる。また、相関演算を用いた公知の手法、例えば特公平５−８８４４５号公報に開示されている手法を用いて位相差を検出することにより、デフォーカス量を求めることができる。そして、得られたデフォーカス量を撮影光学系１０３のフォーカシングレンズの駆動量に換算し、該駆動量の分だけフォーカシングレンズを駆動させれば撮影光学系の焦点調節を自動で行うことができる。
【０１７６】
位相差検出方式では、フォーカシングレンズの駆動量があらかじめ分かるので、通常、合焦位置までのレンズ駆動はほぼ一回で済み、極めて高速な焦点調節が可能である。
【０１７７】
本実施例によれば、第１および第２の光路分割状態に応じて撮像素子１０６の出力を用いたり、測光センサ１４４の出力を用いたりして測光を行っているため、光路分割系が第１および第２の光路分割状態のうちいずれの状態にあるかに拘わらず測光を行うことができる。
【０１７８】
また、ファインダ光学系を用いて物体像を観察する場合（ＯＶＦモードの場合）に加えて、ディスプレイユニット１０７で物体像をリアルタイム表示させる場合（ＥＶＦモードの場合）にも、焦点検出ユニット１２１において位相差検出方式による焦点検出を行うことができ、撮影光学系の焦点調節動作を高速で行うことができる。また、第２の光路分割状態（図１）で連続撮影や動画撮影を行うようにすれば、これらの撮影においても高速な焦点調節動作を行うことができる。さらに、従来のように２つの焦点検出ユニットを設ける必要はないため、コストアップとなることもない。
【０１７９】
本実施例において、第２の光路分割状態（図１）では、撮影レンズ１０３ａからの光束を焦点検出ユニット１２１に導き、焦点検出ユニット１２１において位相差検出方式による焦点検出を行わせているが、該光路分割状態では撮像素子１０６にも撮影レンズ１０３ａからの光束が到達するため、撮像素子１０６の出力に基づいてコントラスト検出方式による焦点調節を合わせて行うようにしてもよい。すなわち、位相差検出方式による焦点検出結果に基づいてフォーカスレンズを駆動させた後に、コントラスト検出方式による焦点調節を行うことで、フォーカスレンズを合焦位置まで精度良く移動させることができる。
【０１８０】
ここで、コントラスト検出方式による焦点調節とは、撮像光学系１０３によって形成された物体像の鮮鋭度を、撮像素子１０６の出力に対して所定の関数で評価することによって求め、関数値が極値をとるようにフォーカスレンズの光軸上の位置を調節するものである。
【０１８１】
評価関数としては、隣接する輝度信号の差の絶対値を焦点検出領域内で加算するものや、隣接する輝度信号の差の２乗を焦点検出領域内で加算するもの、あるいはＲ、Ｇ、Ｂの各画像信号のうち隣接する信号の差に対して上記と同様に処理するもの等がある。
【０１８２】
一方、ＥＶＦモード（第２の光路分割状態）では、アイピースシャッタ１６３を閉じ状態とさせているため、ファインダ逆入射光がカメラ本体１０１内に入り込むのを阻止することができる。また、リモート撮影やセルフタイマ撮影を行うときにアイピースシャッタ１６３を閉じ状態とさせることにより、ファインダ光学系の接眼部からカメラ本体１０１内にファインダ逆入射光が入り込むのを阻止することができる。
【０１８３】
これにより、ファインダ逆入射光が焦点検出ユニット１２１や測光センサ１４４に到達することがなくなり、焦点検出精度および測光精度を向上させることができる。
【図面の簡単な説明】
【０１８４】
【図１】第２の光路分割状態にあるカメラの断面図。
【図２】第１の光路分割状態から第２の光路分割状態に切り換わる途中のカメラの断面図。
【図３】第１の光路分割状態にあるカメラの断面図。
【図４】第１の光路分割状態から第３の光路分割状態に切り換わる途中のカメラの断面図。
【図５】第３の光路分割状態にあるカメラの断面図。
【図６】実施例１のカメラシステムの構成を示す概略図。
【図７】実施例１のカメラシステムの回路構成を示すブロック図。
【図８】実施例１のカメラの撮影動作を示すフローチャート。
【図９】モード切り換えサブルーチンの動作を示すフローチャート。
【図１０】撮影光学系が合焦状態にないときの焦点検出センサの出力信号波形を表す図。
【図１１】撮影光学系が合焦状態にあるときの焦点検出センサの出力信号波形を表す図。
【図１２】ディスプレイユニットに出力可能な画像範囲と撮像範囲との関係を表す図。
【図１３】ディスプレイユニットに出力可能な画像範囲と撮像範囲との関係を表す図。
【符号の説明】
【０１８５】
１０３・・・撮影光学系
１０５・・・フォーカシングスクリーン
１０６・・・撮像素子
１０７・・・ディスプレイユニット
１０９・・・ファインダレンズ
１１１・・・ハーフミラー
１２１・・・焦点検出ユニット
１２２・・・サブミラー
１２３・・・モード切換スイッチ
１３５・・・カメラシステム制御回路
１４４・・・測光センサ
１４５・・・測光レンズ
【図１】
2005292525.tif 000003
【図２】
2005292525.tif 000004
【図３】
2005292525.tif 000005
【図４】
2005292525.tif 000006
【図５】
2005292525.tif 000007
【図６】
2005292525.tif 000008
【図７】
2005292525.tif 000009
【図８】
2005292525.tif 000010
【図９】
2005292525.tif 000011
【図１０】
2005292525.tif 000012
【図１１】
2005292525.tif 000013
【図１２】
2005292525.tif 000014
【図１３】
2005292525.tif 000015